(57)【要約】【課題】動力伝達ベルトに関する異常の有無をより正確に判定できる、動力伝達ベルトの異常検出装置及び異常検出方法を提供する。【解決手段】  発電機３０は、回転して電力を発生させる回転子３２の実回転数が減少して所定の回転子回転数以下になったとき発電を自動的に停止する。動力伝達ベルトの異常検出装置１００は、ガスエンジン１０の目標回転数ＴＥＲを設定する制御装置７０と、ガスエンジン１０の実回転数ＡＥＲを検出するエンジン回転数検出センサ１２ａと、を備える。制御装置７０は、発電機３０が自動的に停止したとき、エンジン回転数検出センサ１２ａを用いてガスエンジン１０の実回転数ＡＥＲを検出するとともに、前記設定したガスエンジン１０の目標回転数ＴＥＲと前記検出したガスエンジン１０の実回転数ＡＥＲとの差ΔＲを演算し、前記演算した差ΔＲが所定の閾値ＲＴ以下であるとき、動力伝達ベルト３４に関する異常が発生していると判定する。【選択図】  図２
2018132134.tif 000002
【特許請求の範囲】
【請求項１】
回転して電力を発生させる回転子の実回転数が減少して所定の回転子回転数以下になったとき発電を自動的に停止する発電機にエンジンの回転駆動力を伝達する動力伝達ベルトに関する異常を検出する、動力伝達ベルトの異常検出装置であって、
前記エンジンの目標回転数を設定する制御装置と、
前記エンジンの実回転数を検出するエンジン回転数検出装置と、を備え、
前記制御装置は、前記発電機が自動的に停止したとき、前記エンジン回転数検出装置を用いて前記エンジンの実回転数を検出するとともに、前記設定したエンジンの目標回転数と前記検出したエンジンの実回転数との差を演算し、前記演算した差が所定の閾値以下であるとき、前記動力伝達ベルトに関する異常が発生していると判定する、動力伝達ベルトの異常検出装置。
【請求項２】
請求項１に記載の動力伝達ベルトの異常検出装置において、
前記制御装置は、前記演算した差が前記所定の閾値より大きいとき、前記発電機に発電を再開させる、動力伝達ベルトの異常検出装置。
【請求項３】
請求項２に記載の動力伝達ベルトの異常検出装置において、
前記演算した差が前記所定の閾値より大きく、且つ前記発電機が発電を停止した状態が所定の時間だけ継続したとき、前記動力伝達ベルトに異常が発生していることを報知する報知装置を備える、動力伝達ベルトの異常検出装置。
【請求項４】
回転して電力を発生させる回転子の実回転数が所定の回転数以下であるとき発電を自動的に停止する発電機にエンジンの回転駆動力を伝達する動力伝達ベルトに関する異常を検出する、動力伝達ベルトの異常検出方法であって、
前記発電機が自動的に停止したとき、前記エンジンの目標回転数と前記エンジンの実回転数との差を演算し、前記演算した差が所定の閾値以下であるとき、前記動力伝達ベルトに関する異常が発生していると判定する、動力伝達ベルトの異常検出方法。
【発明の詳細な説明】
【技術分野】
【０００１】
本発明は、エンジンの回転駆動力を発電機に伝達する動力伝達ベルトの異常検出装置及び異常検出方法に関する。とくに、自立型エンジン駆動式空調装置が備えるエンジンの回転駆動力を同装置が備える発電機に伝達する動力伝達ベルトの異常検出装置及び異常検出方法に関する。
【背景技術】
【０００２】
例えば下記特許文献１に示すような自立型エンジン駆動式空調装置は知られている。この自立型エンジン駆動式空調装置は、エンジンの回転駆動力により空調する空調ユニットと、エンジンの回転駆動力により発電する発電機とを備える。発電機で発電された電力は、電力で駆動する空調ユニットの構成部品（電気駆動部品）に供給される。このため、自立型エンジン駆動式空調装置は商用電源などの外部電源から電力供給されることなく自立して空調運転することができる。したがって、外部電源からの電力の供給が可能な通常時のみならず、外部電源からの電力の供給が不可能な非通常時（例えば、停電時）であっても、空調運転を継続することができる。
【０００３】
一般に、自立型エンジン駆動式空調装置は、制御装置（マイクロコンピュータ）を備える。制御装置は、電気駆動部品のうちの１つである。制御装置には、室温を実測する温度センサ、エンジンの実回転数を検出するエンジン回転数センサ、コンプレッサからの空調冷媒の吐出圧力を検出する圧力センサなどが接続されている。制御装置は、これらのセンサから各種データを取得し、前記取得したデータに基づいて、エンジン、コンプレッサ、発電機などを制御する。
【０００４】
エンジンの回転駆動力は、動力伝達ベルトを介して発電機の回転子に伝達される。したがって、動力伝達ベルトに異常が生じると（例えば、動力伝達ベルトが緩んだとき）、エンジンの回転駆動力が前記回転子に正常に伝達されない。すなわち、正常動作時に比べて、前記回転子の回転数が減少する。また、強風、失火（点火プラグのスパーク不良）などの影響を受けて、エンジンの回転数が一時的に減少することがある。この場合、正常動作時に比べて、前記回転子の回転数が一時的に減少する。
【先行技術文献】
【特許文献】
【０００５】
【特許文献１】特開２００４−３０１３４３号公報
【発明の概要】
【０００６】
（発明が解決しようとする課題）
ここで、前記回転子の回転数が所定の回転数以下であるとき、発電機が発電を自動的に停止するように構成されている場合がある。この場合、制御装置は、発電機が自動的に停止したことを検出可能である。ただし、従来の制御装置は、発電機が発電を停止した原因を分析することができず、常に、動力伝達ベルトに関する異常が発生したと判定していた。すなわち、実際には、強風、失火などの影響を受けてエンジンの実回転数が一時的に減少したことに起因して発電機が停止した場合であっても、制御装置は、動力伝達ベルトに関する異常が生じたと誤判定していた。この場合、ユーザによって発電再開の手動操作がなされるまで、発電機による発電が停止したままになる。発電機による発電が停止している間、商用電源から供給される電力によって電気駆動部品が駆動される。
【０００７】
本発明は、動力伝達ベルトに関する異常の有無をより正確に判定できる、動力伝達ベルトの異常検出装置及び異常検出方法を提供することを目的とする。
【０００８】
（課題を解決するための手段）
本発明の特徴は、回転して電力を発生させる回転子（３２）の実回転数が減少して所定の回転子回転数以下になったとき発電を自動的に停止する発電機（３０）にエンジン（１０）の回転駆動力を伝達する動力伝達ベルト（３４）に関する異常を検出する、動力伝達ベルトの異常検出装置（１００）であって、前記エンジンの目標回転数（ＴＥＲ）を設定する制御装置（７０）と、前記エンジンの実回転数（ＡＥＲ）を検出するエンジン回転数検出装置（１２ａ）と、を備え、前記制御装置は、前記発電機が自動的に停止したとき、前記エンジン回転数検出装置を用いて前記エンジンの実回転数を検出するとともに、前記設定したエンジンの目標回転数と前記検出したエンジンの実回転数との差（ΔＲ）を演算し、前記演算した差が所定の閾値（ＲＴ）以下であるとき、前記動力伝達ベルトに関する異常が発生していると判定する、動力伝達ベルトの異常検出装置（１）としたことにある。
【０００９】
動力伝達ベルトに異常（例えば、緩み）が発生すると、エンジンの実回転数が目標回転数と同等であっても、発電機の回転子の実回転数が減少して発電機が自動的に発電を停止する。一方、動力伝達ベルトが正常であっても、強風、失火などによりエンジンの実回転数が一時的に減少すると、発電機の回転子の実回転数が減少して発電機が自動的に発電を停止する。制御装置は、エンジンの目標回転数と実回転数との差に基づいて、動力伝達ベルトに異常が発生したか否かを判定する。つまり、エンジンの目標回転数と実回転数との差が前記所定の閾値より大きければ、「動力伝達ベルトは正常である」と判定する。一方、発電機が自動的に停止したとき、エンジンの目標回転数と実回転数との差が所定の閾値以下であれば、「動力伝達ベルトに異常が発生している」と判定する。したがって、本発明によれば、発電機が発電を停止したとき、常に、「動力伝達ベルトに関する異常が発生している」と判定する従来の装置に比べて、動力伝達ベルトに関する異常の有無を、正確に判定できる。
【００１０】
また、従来と同様の簡易な制御装置を流用できる。すなわち、動力伝達ベルトの状態を直接的に検出するセンサ、及び発電機の実回転数を検出するセンサ、並びにそれらのセンサから供給される情報を入力する入力端子を備えていて、それらの情報を処理可能な高性能のマイクロコンピュータを用いる必要がない。
【００１１】
また、本発明の他の特徴は、前記制御装置は、前記演算した差が前記所定の閾値より大きいとき、前記発電機に発電を再開させる、動力伝達ベルトの異常検出装置としたことにある。
【００１２】
これによれば、自動的に発電が再開される。すなわち、発電を再開させるための手動操作が不要である。
【００１３】
また、本発明の他の特徴は、前記演算した差が前記所定の閾値より大きく、且つ前記発電機が発電を停止した状態が所定の時間（Ｔ）だけ継続したとき、前記動力伝達ベルトに異常が発生していることを報知する報知装置（５０）を備えた、動力伝達ベルトの異常検出装置としたことにある。
【００１４】
エンジンの実回転数が一時的に減少して発電機が発電を停止したとき、動力伝達ベルトにも異常が発生している場合には、発電機に発電を再開させようとしても、エンジンの回転駆動力が発電機へ正常に伝達されないので、実際には発電が再開されない。また、強風、失火などによりエンジンの実回転数が一時的に減少してから、その実回転数が目標回転数に戻るまでには、ある程度の時間（例えば、１０秒程度）がかかる。したがって、動力伝達ベルトが実際に正常であっても、発電機による発電を再開させる信号が発電機に供給されてから、実際に発電が再開されるまでには、ある程度の時間がかかる。そこで、発電機による発電が停止した状態が所定の時間だけ継続されたとき、動力伝達ベルトに異常が発生していることが報知されるように構成されている。これによれば、動力伝達ベルトに関する異常の有無を、上記従来の装置より正確に報知できる。
【図面の簡単な説明】
【００１５】
【図１】本実施形態に係る自立型エンジン駆動式空調装置の構成を示すブロック図である。
【図２】動力伝達ベルトの異常判定処理を示すフローチャートである。
【図３】発電を再開させる動作シーケンスを示すタイムチャートである。
【図４】動力伝達ベルトに異常が発生していることを報知する動作シーケンスを示すタイムチャートである。
【発明を実施するための形態】
【００１６】
以下、本発明の一実施形態に係る動力伝達ベルトの異常検出装置１００が適用された自立型エンジン駆動式空調装置１について説明する。図１に示すように、この自立型エンジン駆動式空調装置１は、ガスエンジン１０、空調ユニット２０、発電機３０、バッテリ４０、室内機リモコン５０、スタータモータ６０及び制御装置７０を備える。
【００１７】
ガスエンジン１０はガス配管１１からガス燃料の供給を受けて駆動する。ガスエンジン１０へのガス燃料の供給量を調整する弁１１１の開度が後述する制御装置７０によって制御されて、ガスエンジン１０の回転数が制御される。ガスエンジン１０は出力軸１２を備え、出力軸１２からガスエンジン１０の回転駆動力が外部に取り出される。ガスエンジン１０は、スタータモータ６０によって始動するように構成される。また、ガスエンジン１０には、その実回転数ＡＥＲを検出するエンジン回転数センサ１２ａが取り付けられている。
【００１８】
空調ユニット２０は、コンプレッサ２１、冷媒配管２２、室内熱交換器２３、室外熱交換器２４、膨張弁２５、四方切換弁２６、及びアキュムレータ２７を備える。室内熱交換器２３、室外熱交換器２４、膨張弁２５、四方切換弁２６は冷媒配管２２の途中に介装される。冷媒配管２２内を冷媒が流通する。
【００１９】
コンプレッサ２１は、ガスエンジン１０の出力軸１２に動力伝達可能に連結した入力軸２１１を有し、ガスエンジン１０の回転駆動力によって駆動される。コンプレッサ２１は吸入口２１ａ及び吐出口２１ｂを有する。コンプレッサ２１が駆動した場合、吸入口２１ａから冷媒配管２２中の低圧ガス冷媒を吸入し、吸入した低圧ガス冷媒を内部で圧縮するとともに、圧縮した高圧ガス冷媒を吐出口２１ｂから冷媒配管２２に吐出する。
【００２０】
室内熱交換器２３及び室外熱交換器２４は、それぞれ冷媒配管２２内の冷媒を導入するとともに、導入した冷媒と周囲空気とを熱交換させる。室内熱交換器２３と室外熱交換器２４とをつなぐ冷媒配管２２の途中に膨張弁２５が介装される。膨張弁２５は冷媒配管２２内の冷媒を膨張させる。
【００２１】
四方切換弁２６にはそれぞれ独立した２つの通路が内部に形成される。この四方切換弁２６は、暖房接続状態と冷房接続状態とを選択的に切り換えることができるように構成される。四方切換弁２６が暖房接続状態であるときは、コンプレッサ２１の吐出口２１ｂと室内熱交換器２３とが四方切換弁２６に形成された一方の通路で連通され、コンプレッサ２１の吸入口２１ａと室外熱交換器２４とが四方切換弁２６に形成された他方の通路で連通される。一方、四方切換弁２６が冷房接続状態であるときは、コンプレッサ２１の吐出口２１ｂと室外熱交換器２４とが四方切換弁２６に形成された一方の通路で連通され、コンプレッサ２１の吸入口２１ａと室内熱交換器２３とが四方切換弁２６に形成された他方の通路で連通される。暖房運転時に四方切換弁２６は暖房接続状態とされ、冷房運転時に四方切換弁２６は冷房接続状態とされる。
【００２２】
空調ユニット２０の暖房運転及び冷房運転について簡単に説明する。まず、暖房運転について説明する。コンプレッサ２１がガスエンジン１０により駆動されると、吸入口２１ａから低圧ガス冷媒がコンプレッサ２１に吸入されるとともに吸入された低圧ガス冷媒が圧縮される。そして圧縮された高圧ガス冷媒が吐出口２１ｂから吐出される。吐出口２１ｂから吐出された高圧ガス冷媒は四方切換弁２６を経由して室内熱交換器２３に導入される。室内熱交換器２３に導入された高圧ガス冷媒は室内熱交換器２３内を流通する間に室内空気に熱を吐き出して凝縮する。このとき高圧ガス冷媒から吐き出された熱によって室内空気が暖められて、室内暖房される。
【００２３】
室内空気に熱を吐き出して凝縮した冷媒は一部液化して室内熱交換器２３から排出される。そして、膨張弁２５で膨張することにより低圧化された後に室外熱交換器２４に導入される。室外熱交換器２４に導入された冷媒は室外熱交換器２４内を流通する間に外気の熱を奪って一部蒸発する。
【００２４】
外気の熱を奪って一部蒸発した冷媒は室外熱交換器２４から排出され、四方切換弁２６を経由してアキュムレータ２７に供給される。アキュムレータ２７では冷媒が液冷媒と低圧のガス冷媒とに分離される。そして、低圧ガス冷媒のみがコンプレッサ２１の吸入口２１ａからコンプレッサ２１に帰還する。
【００２５】
次に、冷房運転について説明する。コンプレッサ２１がガスエンジン１０により駆動されると、コンプレッサ２１の吐出口２１ｂから高圧ガス冷媒が吐出される。吐出口２１ｂから吐出された高圧ガス冷媒は四方切換弁２６を経由して室外熱交換器２４に導入される。室外熱交換器２４に導入された高圧ガス冷媒は室外熱交換器２４内を流通する間に外気に熱を吐き出して凝縮する。
【００２６】
外気に熱を吐き出して凝縮した冷媒は一部液化して室外熱交換器２４から排出される。そして、膨張弁２５で膨張することにより低圧化された後に室内熱交換器２３に導入される。室内熱交換器２３に導入された冷媒は室内熱交換器２３内を流通する間に室内空気の熱を奪って一部蒸発する。このとき冷媒が室内空気の熱を奪うことによって室内空気が冷やされて、室内冷房される。
【００２７】
室内空気の熱を奪って一部蒸発した冷媒は室内熱交換器２３から排出され、四方切換弁２６を経由してアキュムレータ２７に供給される。そして、低圧ガス冷媒のみがコンプレッサ２１の吸入口２１ａからコンプレッサ２１に帰還する。
【００２８】
上記の説明のように、暖房時においても冷房時においても、空調ユニット２０はガスエンジン１０の駆動力により空調する。
【００２９】
空調ユニット２０は、上記の構成以外にも様々な構成部品、例えば室内熱交換器用ファン２３１や、室外熱交換器用ファン２４１、を有する。室内熱交換器用ファン２３１、室外熱交換器用ファン２４１は、電力の供給を受けることにより駆動される。また、四方切換弁２６も電力の供給を受けることにより切換作動する。さらに、膨張弁２５の開度も電力の供給を受けることにより調整される。以下の説明において、空調ユニット２０の構成部品であって電力の供給を受けることにより駆動する部品を電気駆動部品と呼ぶ。
【００３０】
発電機３０は、固定子３１、回転子３２、電磁クラッチ３３、動力伝達ベルト３４を備える。固定子３１（又は回転子３２）が磁界を発生させる。回転子３２（又は固定子３１）がコイルを有している。固定子３１に対して回転子３２が回転することにより、前記コイルに電流が流れる。電磁クラッチ３３の一方のクラッチ板３３ａが回転子３２に接続されており、他方のクラッチ板３３ｂが動力伝達ベルト３４を介してガスエンジン１０の出力軸１２に連結されている。ガスエンジン１０の回転駆動力が動力伝達ベルト３４を介して回転子３２に伝達されて、固定子３１に対して回転子３２が回転する。これにより、電力が発生される。このようにして発生された電力は、上述した電気駆動部品、バッテリ４０及び制御装置７０に供給される。バッテリ４０は発電機３０で発電された電力を蓄える。このバッテリ４０は、スタータモータ６０及び制御装置７０に電気的に接続され、これらに電力を供給することができるように構成される。
【００３１】
また、発電機３０は、回転子３２の実回転数が減少して所定の回転子回転数以下になったとき、電磁クラッチ３３のクラッチ板３３ａとクラッチ板３３ｂとを切り離して、発電を自動的に停止する。その際、発電機３０は、発電を自動的に停止したことを表す停止信号ＳＴＰを制御装置７０に供給する。発電機３０は、制御装置７０からリセット信号ＲＥＳが供給されると、電磁クラッチ３３のクラッチ板３３ａとクラッチ板３３ｂとを接続する。そして、回転子３２の回転数が増大して前記所定の回転子回転数（例えば、１０００ｒｐｍ（５００Ｗ発電時））より大きくなると、発電機３０は、発電を再開したことを表す再開信号ＲＳＴを制御装置７０に供給する。なお、前記所定の回転子回転数は、発電機３０に予め記憶されていてもよいし、制御装置７０によって設定されてもよい。
【００３２】
図１に示すように、室内機リモコン５０は商用電源（外部電源）Ｃに電気的に接続されており、商用電源Ｃから電力が供給されることによって作動する。この室内機リモコン５０は、自立型エンジン駆動式空調装置１の運転の開始及び停止の指示、空調条件（例えば、目標の室温）などの設定を行うことができるように構成される。室内機リモコン５０は、例えば、押しボタン式の起動スイッチを備えている。また、室内機リモコン５０は、室温を検出する温度センサを備えている。そして、設定された条件が制御装置７０に受信できるように、室内機リモコン５０が制御装置７０と通信可能に構成されている。また、室内機リモコン５０は、動力伝達ベルト３４に異常が発生した場合に、画像、音声などを用いて、その異常を報知する機能を有する。すなわち、室内機リモコン５０は、本発明の報知装置に相当する。
【００３３】
スタータモータ６０は、上述したように、バッテリ４０に電気的に接続されるとともに、商用電源Ｃにも電気的に接続されている。したがって、スタータモータ６０は、商用電源Ｃ又はバッテリ４０から電力供給されて駆動して、ガスエンジン１０を始動させる。なお、商用電源Ｃ及びバッテリ４０の双方から電力供給が可能であるときは、スタータモータ６０は、商用電源Ｃから電力供給されて駆動する。
【００３４】
制御装置７０は、演算装置７１、記憶装置７２、タイマー７３などを備えたマイクロコンピュータである。制御装置７０は、発電機３０、バッテリ４０、及び商用電源Ｃに電気的に接続される。制御装置７０は、室内機リモコン５０で設定された条件（例えば、目標の室温）や、自立型エンジン駆動式空調装置１に備えられている各種センサからの情報に基づいて自立型エンジン駆動式空調装置１を制御する。例えば、制御装置７０は、目標の室温と実測した室温との差に基づいて、ガスエンジン１０の回転数（弁１１１の開度）を設定する。
【００３５】
制御装置７０は、自立型エンジン駆動式空調装置１の運転中は発電機３０から電力供給されて作動する。自立型エンジン駆動式空調装置１の運転停止中（ガスエンジン１０の停止中）は、商用電源Ｃによる電力供給が可能なときには商用電源Ｃから電力の供給を受けて作動し、商用電源Ｃによる電力供給が不可能なときにはバッテリ４０から電力供給されて作動する。
【００３６】
動力伝達ベルトの異常検出装置１００は、制御装置７０、エンジン回転数センサ１２ａ及び室内機リモコン５０から構成される。
【００３７】
つぎに、自立型エンジン駆動式空調装置１の起動手順について説明する。ユーザが室内機リモコン５０の起動スイッチを押すと、起動信号が室内機リモコン５０から制御装置７０に送信される。すると、商用電源Ｃから電力供給を受けて起動している制御装置７０はスタータモータ６０に駆動信号を出力する。スタータモータ６０が駆動信号を受けた場合、商用電源Ｃからスタータモータ６０に電力供給される。スタータモータ６０は商用電源Ｃから電力供給されることにより駆動する。スタータモータ６０の駆動によってガスエンジン１０が始動する。ガスエンジン１０が一旦始動すれば、後はガス燃料の供給により駆動が継続されるため、スタータモータ６０を駆動させる必要はない。よって、商用電源Ｃからスタータモータ６０への電力供給が停止する。
【００３８】
ガスエンジン１０が始動されると、ガスエンジン１０に動力伝達可能に連結されたコンプレッサ２１が駆動される。コンプレッサ２１が駆動することによって、冷媒配管２２中を冷媒が流れて空調運転が開始される。制御装置７０は、目標の室温及び実測した室温に応じて、ガスエンジン１０の目標回転数ＴＥＲを設定する。また、ガスエンジン１０が始動されると、ガスエンジン１０に動力伝達可能に連結された発電機３０も駆動して発電する。発電機３０で発電された電力は、バッテリ４０に蓄電されるとともに各電気駆動部品に供給される。また、制御装置７０への電力の供給源が商用電源Ｃから発電機３０に切り換わる。発電機３０から各電気駆動部品や制御装置７０に電力供給することで、自立型エンジン駆動式空調装置１の空調運転が継続される。つまり、通常時には、ガスエンジン１０の始動にのみ商用電源Ｃから電力供給され、始動後は発電機３０が自立型エンジン駆動式空調装置１の運転に必要な電力を賄う。なお、通常時には、商用電源Ｃから電力供給が可能であるので、ガスエンジン１０が始動して発電機３０で発電されているときであっても、商用電源Ｃから制御装置７０や各電気駆動部品に電力供給してもよい。
【００３９】
自立型エンジン駆動式空調装置１が空調運転しているとき、発電機３０の発電が自動的に停止すると、停止信号ＳＴＰが制御装置７０に供給される。すると、演算装置７１は、図２に示す、動力伝達ベルトの異常判定処理を実行する。演算装置７１は、ステップＳ１０にて、動力伝達ベルトの異常判定処理を開始する。つぎに、演算装置７１は、ステップＳ１１にて、タイマー７３に時間計測動作を開始させる。すなわち、発電機３０が停止してから経過した時間Δｔの計測を開始させる（図３及び図４参照）。つぎに、演算装置７１は、動力伝達ベルト３４が正常か否かを判定する。具体的には、演算装置７１は、エンジン回転数センサ１２ａを用いて、ガスエンジン１０の実回転数ＡＥＲを検出するとともに、ガスエンジン１０の目標回転数ＴＥＲと実回転数ＡＥＲとの差ΔＲを演算する。そして、差ΔＲが所定の閾値ＲＴより大きいとき、演算装置７１は、「動力伝達ベルトは正常である」と判定する。つまり、強風、失火などによりガスエンジン１０の実回転数ＡＥＲが一時的に減少したために発電機３０が自動的に停止したのであって、動力伝達ベルト３４に異常は発生していないと判定する。一方、差ΔＲが所定の閾値ＲＴ以下であるとき、演算装置７１は、「動力伝達ベルトに異常が発生している」と判定する。つまり、動力伝達ベルト３４に異常が発生したために、ガスエンジン１０の回転駆動力が発電機３０に正常に伝達されなくなったと判定する。
【００４０】
演算装置７１は、ステップＳ１２において「動力伝達ベルトが正常である」と判定したとき（Ｓ１２：Ｙｅｓ）、ステップＳ１３に処理を進める。演算装置７１は、ステップＳ１３にて、発電機３０にリセット信号ＲＥＳを供給して、発電を再開させることを試みる。そして、演算装置７１は、ステップＳ１４にて、動力伝達ベルトの異常判定処理を終了する。一方、ステップＳ１２において「動力伝達ベルトに異常が発生している」と判定したとき（Ｓ１２：Ｎｏ）、ステップＳ１４に処理を進め、動力伝達ベルトの異常判定処理を終了する。
【００４１】
上記の動力伝達ベルトの異常判定処理のステップＳ１３においてリセット信号ＲＥＳが発電機３０に供給されることにより、発電機３０の電磁クラッチ３３が接続される。動力伝達ベルト３４が正常であれば、回転子３２の実回転数が増大して所定の回転子回転数より大きくなる。すると、発電機３０は、再開信号ＲＳＴを制御装置７０に供給する。この場合、演算装置７１は、タイマー７３による時間計測動作を停止させる（図３参照）。一方、動力伝達ベルト３４に異常があれば、回転子３２の実回転数が増大せず、前記所定の回転子回転数より大きくならないので、再開信号ＲＳＴが発電機３０から制御装置７０に供給されない。この場合、タイマー７３の時間計測動作が継続される。
【００４２】
タイマー７３は、前記計測した時間Δｔが所定の時間Ｔを超えると、タイマー割り込み信号ＴＩを制御装置７０に供給する（図４参照）。すると、演算装置７１は、動力伝達ベルト３４に異常が発生していることを表すエラー信号ＥＲＲを室内機リモコン５０に供給する。室内機リモコン５０は、エラー信号ＥＲＲが供給されると、動力伝達ベルト３４に異常が発生していることを画像、音声などを用いて報知する。
【００４３】
上記のように、動力伝達ベルト３４に異常（例えば、緩み）が発生すると、発電機３０の回転子３２の実回転数が減少して発電機３０が自動的に発電を停止する。また、動力伝達ベルト３４が正常であっても、強風、失火などによりガスエンジン１０の実回転数が一時的に減少すると、発電機３０の回転子３２の実回転数が減少して発電機３０が自動的に発電を停止する。そこで、本実施形態では、制御装置７０は、ガスエンジン１０の目標回転数ＴＥＲと実回転数ＡＥＲとの差ΔＲに基づいて、動力伝達ベルト３４に異常が発生したか否かを判定する。つまり、ガスエンジン１０の目標回転数ＴＥＲと実回転数ＡＥＲとの差ΔＲが前記所定の閾値ＲＴより大きければ、「動力伝達ベルトは正常である」と判定する。一方、発電機３０が自動的に停止したとき、ガスエンジン１０の目標回転数ＴＥＲと実回転数ＡＥＲとの差ΔＲが所定の閾値ＲＴ以下であれば、「動力伝達ベルトに異常が発生している」と判定する。したがって、本実施形態によれば、発電機が発電を停止したとき、常に、「動力伝達ベルトに関する異常が発生している」と判定する従来の装置に比べて、動力伝達ベルト３４に関する異常の有無を正確に判定できる。
【００４４】
また、従来と同様の簡易な制御装置７０を流用できる。すなわち、動力伝達ベルト３４の状態を直接的に検出するセンサ、及び発電機３０の実回転数を検出するセンサ、並びにそれらのセンサから供給される情報を入力する入力端子を備えていて、それらの情報を処理可能な高性能のマイクロコンピュータを用いる必要がない。
【００４５】
また、制御装置７０は、「動力伝達ベルトが正常である」と判定したとき、発電機３０に発電を再開させる。これによれば、自動的に発電が再開される。すなわち、発電を再開させるための手動操作が不要である。
【００４６】
また、ガスエンジン１０の実回転数ＡＥＲが一時的に減少して発電機３０が停止したとき、動力伝達ベルト３４にも異常が発生している場合には、図２のステップＳ１２の判定結果は誤りである。この場合、リセット信号ＲＥＳが発電機３０に供給されても、ガスエンジン１０の回転駆動力が発電機３０へ正常に伝達されないので、発電機３０から再開信号ＲＳＴが制御装置７０に供給されない。また、強風、失火などによりガスエンジン１０の実回転数ＡＥＲが一時的に減少してから、その実回転数ＡＥＲが目標回転数ＴＥＲに戻るまでには、ある程度の時間（例えば、１０秒程度）がかかる。したがって、動力伝達ベルト３４が実際に正常であっても、発電機３０にリセット信号ＲＥＳが供給されてから、制御装置７０に再開信号ＲＳＴが供給されるまでには、ある程度の時間がかかる。そこで、本実施形態では、発電機３０による発電が停止した状態が所定の時間Ｔだけ継続されたとき、動力伝達ベルト３４に異常が発生していることが報知されるように構成されている。これによれば、動力伝達ベルト３４に関する異常の有無を、上記従来の装置より正確に報知できる。
【００４７】
以上、本発明の実施形態について説明したが、本発明は上記実施形態に限定されるべきものではない。
【００４８】
例えば、図２のステップＳ１２において、「動力伝達ベルトに異常が発生している」と判定されたとき、直ちに、エラー信号ＥＲＲが室内機リモコン５０に供給されて、その異常が報知されてもよい。
【符号の説明】
【００４９】
１・・・自立型エンジン駆動式空調装置、１０・・・ガスエンジン（エンジン）、１１・・・ガス配管、１２・・・出力軸、１２ａ・・・エンジン回転数センサ（エンジン回転数検出装置）、２０・・・空調ユニット、３０・・・発電機、３１・・・固定子、３２・・・回転子、３３・・・電磁クラッチ、３４・・・動力伝達ベルト、４０・・・バッテリ、５０・・・室内機リモコン（報知装置）、６０・・・スタータモータ、７０・・・制御装置、７１・・・演算装置、７２・・・記憶装置、７３・・・タイマー、１００・・・動力伝達ベルトの異常検出装置、ＡＥＲ・・・実回転数、Ｃ・・・商用電源、ＥＲＲ・・・エラー信号、ＲＥＳ・・・リセット信号、ＲＳＴ・・・再開信号、ＲＴ・・・閾値、ＳＴＰ・・・停止信号、ＴＥＲ・・・目標回転数、ＴＩ・・・割り込み信号
【図１】
2018132134.tif 000003
【図２】
2018132134.tif 000004
【図３】
2018132134.tif 000005
【図４】
2018132134.tif 000006